(57)【特許請求の範囲】
【請求項１】
施錠・解錠信号を出力する操作スイッチと、
複数のドアロック機構のうち、特定のドアロック機構を選択する位置と、特定のドアを含む全てのドアロック機構を選択する位置を選択可能であり、前記位置に応じた選択信号を出力する選択スイッチと、
前記施錠・解錠信号と前記選択信号を入力して前記少なくとも１つのドアロック機構を施錠・解錠する制御信号を出力する制御部と、
前記制御信号を入力して遠隔制御信号を送信する送信部とを有し、
前記選択スイッチは、前記操作スイッチと同一面に形成されていることを特徴とする遠隔制御用携帯機。
【請求項２】
施錠・解錠信号を出力する押圧スイッチと、
複数のドアロック機構のうち、特定のドアロック機構を選択する位置と、特定のドアを含む全てのドアロック機構を選択する位置を選択可能であり、前記位置に応じた選択信号を出力するスライドスイッチと、
前記施錠・解錠信号と前記選択信号を入力して前記少なくとも１つのドアロック機構を施錠・解錠する制御信号を出力する制御部と、
前記制御信号を入力して遠隔制御信号を送信する送信部とを有し、
前記スライドスイッチは、前記押圧スイッチと同一面に形成されていることを特徴とする遠隔制御用携帯機。
【請求項３】
前記押圧スイッチは、施錠信号を出力する施錠スイッチと、解錠信号を出力する解錠スイッチとを含む請求項２に記載の遠隔制御用携帯機。
【請求項４】
前記押圧スイッチは、押圧の度に施錠信号と解錠信号を交互に出力する請求項２に記載の遠隔制御用携帯機。
【請求項５】
前記スライドスイッチは、スライドノブと、前記スライドノブのスライド通路上に配置されて前記少なくとも１つのドアロック機構を選択する複数の接点とを有する請求項２に記載の遠隔制御用携帯機。
【請求項６】
施錠・解錠信号を出力する第１のスライドスイッチと、
複数のドアロック機構のうち、特定のドアロック機構を選択する位置と、特定のドアを含む全てのドアロック機構を選択する位置を選択可能であり、前記位置に応じた選択信号を出力する第２のスライドスイッチと、
前記施錠・解錠信号と前記選択信号を入力して前記少なくとも１つのドアロック機構を施錠・解錠する制御信号を出力する制御部と、
前記制御信号を入力して遠隔制御信号を送信する送信部とを有し、
前記第１及び第２のスライドスイッチは、同一面に形成されていることを特徴とする遠隔制御用携帯機。
【請求項７】
施錠・解錠信号を出力する押圧スイッチと、
複数のドアロック機構のうち、特定のドアロック機構を選択する位置と、特定のドアを含む全てのドアロック機構を選択する位置を選択可能であり、前記位置に応じた選択信号を出力するロータリスイッチと、
前記施錠・解錠信号と前記選択信号を入力して前記少なくとも１つのドアロック機構を施錠・解錠する制御信号を出力する制御部と、
前記制御信号を入力して遠隔制御信号を送信する送信部とを有し、
前記ロータリスイッチは、前記押圧スイッチと同一面に形成されていることを特徴とする遠隔制御用携帯機。
【発明の詳細な説明】
【技術分野】
【０００１】
本発明は、遠隔制御用携帯機に関し、特に自動車用ドアパネルにおけるドアロック機構の施錠・解錠を電子的に行うための遠隔制御用携帯機に関する。
【背景技術】
【０００２】
従来の遠隔制御用携帯機として、例えば、自動車等の車両において押圧スイッチの押圧によってドアロック機構の施錠・解錠を行うものがある（特許文献１）。
【０００３】
この遠隔制御用携帯機は、操作者によって操作されることにより施錠・解錠信号を出力する押圧スイッチ（施錠スイッチと解錠スイッチを含む）と、押圧スイッチの施錠・解錠信号を入力して施錠・解錠制御信号を出力する制御部と、制御部の施錠・解錠制御信号を入力して施錠・解錠信号を送信する通信部とから構成されている。
【０００４】
以上の構成において、遠隔制御用携帯機を所持する操作者が押圧スイッチを押圧すると、押圧スイッチから施錠・解錠信号が制御部に入力する。制御部はこの施錠・解錠信号を入力すると、固有のＩＤコードを含んだ施錠・解錠制御信号を通信部へ出力する。通信部はこの施錠・解錠制御信号を入力すると、ＩＤコードを含んだ施錠・解錠信号を車両の送受信装置へ向けて送信する。
【０００５】
車両の送受信装置は、遠隔制御用携帯機の通信部から送信された施錠・解錠信号を受信すると、これら信号に含まれるＩＤコードと予め設定されたＩＤコードとが比較（ＩＤ照合）され、このＩＤ照合の比較結果に基づいてドアロック機構の施錠・解錠が行われる。
【特許文献１】特開２００４−３０８１６５号公報
【発明の開示】
【発明が解決しようとする課題】
【０００６】
しかし、この遠隔制御用携帯機によると、例えば、運転席，助手席，乗客席等の複数のドアパネルに共通する施錠・解錠信号が送信されるため、施錠・解錠が不要なドアパネルの施錠・解錠が行われるという不都合がある。
【０００７】
一方、複数のドアパネルから任意のドアパネルを選択する選択スイッチを設けると、施錠スイッチ及び解錠スイッチに加えて、ドアパネルの数に等しい数の選択スイッチが必要になるため、形状が大型化するという不都合がある。
【０００８】
従って、本発明の目的は、複数の制御対象となっても携帯機本体の外形寸法が大きくなるのを抑えながら、複数の制御対象から任意の制御対象を選択することができる遠隔制御用携帯機を提供することにある。
【課題を解決するための手段】
【０００９】
（１）本発明は、上記目的を達成するために、施錠・解錠信号を出力する操作スイッチと、複数のドアロック機構のうち、特定のドアロック機構を選択する位置と、特定のドアを含む全てのドアロック機構を選択する位置を選択可能であり、前記位置に応じた選択信号を出力する選択スイッチと、前記施錠・解錠信号と前記選択信号を入力して前記少なくとも１つのドアロック機構を施錠・解錠する制御信号を出力する制御部と、前記制御信号を入力して遠隔制御信号を送信する送信部とを有し、前記選択スイッチは、前記操作スイッチと同一面に形成されていることを特徴とする遠隔制御用携帯機を提供する。
【００１０】
（２）本発明は、上記目的を達成するために、施錠・解錠信号を出力する押圧スイッチと、複数のドアロック機構のうち、特定のドアロック機構を選択する位置と、特定のドアを含む全てのドアロック機構を選択する位置を選択可能であり、前記位置に応じた選択信号を出力するスライドスイッチと、前記施錠・解錠信号と前記選択信号を入力して前記少なくとも１つのドアロック機構を施錠・解錠する制御信号を出力する制御部と、前記制御信号を入力して遠隔制御信号を送信する送信部とを有し、前記スライドスイッチは、前記押圧スイッチと同一面に形成されていることを特徴とする遠隔制御用携帯機を提供する。
【００１１】
（３）本発明は、上記目的を達成するために、施錠・解錠信号を出力する第１のスライドスイッチと、複数のドアロック機構のうち、特定のドアロック機構を選択する位置と、特定のドアを含む全てのドアロック機構を選択する位置を選択可能であり、前記位置に応じた選択信号を出力する第２のスライドスイッチと、前記施錠・解錠信号と前記選択信号を入力して前記少なくとも１つのドアロック機構を施錠・解錠する制御信号を出力する制御部と、前記制御信号を入力して遠隔制御信号を送信する送信部とを有し、前記第１及び第２のスライドスイッチは、同一面に形成されていることを特徴とする遠隔制御用携帯機を提供する。
【００１２】
（４）本発明は、上記目的を達成するために、施錠・解錠信号を出力する押圧スイッチと、複数のドアロック機構のうち、特定のドアロック機構を選択する位置と、特定のドアを含む全てのドアロック機構を選択する位置を選択可能であり、前記位置に応じた選択信号を出力するロータリスイッチと、前記施錠・解錠信号と前記選択信号を入力して前記少なくとも１つのドアロック機構を施錠・解錠する制御信号を出力する制御部と、前記制御信号を入力して遠隔制御信号を送信する送信部とを有し、前記ロータリスイッチは、前記押圧スイッチと同一面に形成されていることを特徴とする遠隔制御用携帯機を提供する。
【発明の効果】
【００１３】
本発明によると、複数の制御対象となっても携帯機本体の外形寸法が大きくなるのを抑えながら、複数の制御対象から任意の制御対象を選択することができる。
【発明を実施するための最良の形態】
【００１４】
[第１の実施の形態]
図１は、本発明の第１の実施の形態に係る遠隔制御用携帯機を説明するために示すブロック図である。図２は、本発明の第１の実施の形態に係る遠隔制御用携帯機を示す斜視図である。
【００１５】
〔遠隔制御用携帯機の全体構成〕
図１において、符号１で示す遠隔制御用携帯機は、車両２に搭載される施錠・解錠装置３と共に電子キーシステムＡを構成し、携帯機本体１Ａ及び操作装置１Ｂを備えている。
【００１６】
（携帯機本体１Ａの構成）
図１に示すように、携帯機本体１Ａは、通信部４及び制御部５を有している。通信部４は、複数のドアロック機構１００Ａ，１００Ｂ，…を施錠・解錠するための施錠・解錠信号（遠隔制御信号）をそれぞれ送信（出力）する送信回路４Ａ及び施錠・解錠装置３からの施錠・解錠完了信号をそれぞれ受信する受信回路４Ｂからなり、筐体６（図２に示す）内に収容され、かつ制御部５に接続されている。送信回路４Ａには送信アンテナ４ａが、受信回路４Ｂには受信アンテナ４ｂがそれぞれ接続されている。制御部５は、予め設定されたＩＤコードが記憶されたメモリ５Ａを有するマイクロコンピュータからなり、筐体６内に収容されている。そして、判別手段及び制御手段・書き換え手段として機能するように構成されている。
【００１７】
判別手段としての制御部５は、メモリ５Ａに記憶されたデータに基づいてドアロック機構１００Ａ，１００Ｂ，…の施錠・解錠を判別する。制御手段としての制御部５は、メモリ５Ａに記憶されたデータに基づいてインジケータ７，８（後述）の作動を、押圧スイッチ１１Ａ，１１Ｂ（後述）の操作時から所定時間内に車両２からの施錠・解錠完了信号が受信されたか否かに基づいてインジケータ９（後述）の作動をそれぞれ制御するように構成されている。また、制御手段としての制御部５は、ドアロック機構１００Ａ，１００Ｂ，…の施錠・解錠の判別結果に基づいて送信回路４Ａへの施錠・解錠信号の出力を制御する。書き換え手段としての制御部５は、受信回路４Ｂからの施錠・解錠完了信号によるドアロック機構１００Ａ，１００Ｂ，…の施錠・解錠状態に基づいて、メモリ５Ａに記憶されたデータを書き換える。
【００１８】
図２に示すように、筐体６には、車両２のドアロック機構１００Ａ，１００Ｂ，…の施錠状態及び解錠状態をそれぞれ報知するインジケータ７，８と、車両２からアンサーバックとして送信される施錠・解錠完了信号の受信不能を報知（警告）するインジケータ９とが配置されている。インジケータ７〜９は、例えば発光ダイオード（Light Emitting Diode：ＬＥＤ）からなり、制御部５に接続されている。
【００１９】
（操作装置１Ｂの構成）
図１に示すように、操作装置１Ｂは、ドアロック機構１００Ａ，１００Ｂ，…のうち少なくとも１つのドアロック機構を制御対象として選択的に特定するための第１選択手段１０（選択スイッチ）と、この第１選択手段１０によって特定された少なくとも一のドアロック機構を選択的に施錠・解錠するための第２選択手段１１（操作スイッチ）とを有し、筐体６の操作面６Ａ内に配置され、かつ制御部５に接続されている。そして、携帯機本体１Ａの制御部５による通信部４に対する制御信号の出力を指示するように構成されている。
【００２０】
第１選択手段１０としては、図２に示すように、ドアロック機構１００Ａ，１００Ｂ，…を選択する選択信号を出力して制御対象を切り替えるための摺動子（スライドノブ）としての操作子１０Ａと、この操作子１０Ａのスライド通路上に配置されてスイッチＯＮ状態となる（ドアロック機構１００Ａ，１００Ｂ，…のうち少なくとも１つのドアロック機構を選択する）第１接点１０ａ・第２接点１０ｂ・第３接点１０ｃとを有するスライドスイッチが用いられている。操作子１０Ａが３つの摺動位置としての「ＡＬＬ」・「Ｄ」・「ＤＰ」の位置に停止することにより、それぞれ第１接点１０ａ・第２接点１０ｂ・第３接点１０ｃ（図１に示す）がスイッチＯＮ状態となる。これにより、操作子１０Ａの３つの摺動位置に対応する制御対象（ドアロック機構１００Ａ，１００Ｂ，…のうち少なくとも１つのドアロック機構）が選択的に特定される。例えば、操作子１０Ａを摺動操作して「ＡＬＬ」の位置に停止すると、全てのドアロック機構１００Ａ，１００Ｂ，…が制御対象として特定される。また、操作子１０Ａを摺動操作してそれぞれ「Ｄ」と「ＤＰ」の位置に停止すると、ドアロック機構１００Ａ，１００Ｂ，…の一部（Ｄ：運転席側のドアパネルに対応するドアロック機構，ＤＰ：運転席・乗客席側のドアパネルに対応するドアロック機構）が制御対象として特定される。
【００２１】
第２選択手段１１としては、図２に示すように、施錠信号を出力してドアロック機構１００Ａ，１００Ｂ，…を施錠するための押圧スイッチ１１Ａと、解錠信号を出力してドアロック機構１００Ａ，１００Ｂ，…を解錠するための押圧スイッチ１１Ｂとが用いられる。押圧スイッチ１１Ａを押圧操作すると、制御対象として特定されたドアロック機構１００Ａ，１００Ｂ，…が解錠状態から施錠状態に切り替えられる。一方、押圧スイッチ１１Ｂを押圧操作すると、制御対象として特定されたドアロック機構１００Ａ，１００Ｂ，…が施錠状態から解錠状態に切り替えられる。
【００２２】
〔施錠・解錠装置の全体構成〕
図１に示すように、施錠・解錠装置３は、装置本体３Ａを備え、前述したように車両２に搭載されている。
【００２３】
（装置本体３Ａの構成）
図１に示すように、装置本体３Ａは、通信部１２及び制御部１３を有している。通信部１２は、施錠・解錠完了信号をそれぞれ送信（出力）する送信回路１２Ａ及び遠隔制御用携帯機１からの施錠・解錠信号をそれぞれ受信する受信回路１２Ｂからなり、制御部１３に接続されている。送信回路１２Ａには送信アンテナ１２ａが、受信回路１２Ｂには受信アンテナ１２ｂがそれぞれ接続されている。制御部１３は、予め設定されたＩＤコードが記憶された記憶手段としてのメモリ１３Ａを有するマイクロコンピュータからなり、通信部１２への施錠・解錠完了信号の出力を制御するように構成されている。また、施錠・解錠信号に含まれるＩＤコードとメモリ１３Ａに記憶されたＩＤコードとの比較（ＩＤコード照合）を行うとともに、このＩＤコード照合の比較結果に基づいてドアロック駆動装置１０１Ａ，１０１Ｂ，…の駆動制御を行うように構成されている。
【００２４】
ドアロック駆動装置１０１Ａ，１０１Ｂ，…は、ドアロック機構１００Ａ，１００Ｂ，…を施錠・解錠するアクチュエータを有し、制御部１３に接続されている。そして、制御部１３から出力された電気信号に基づいてアクチュエータを駆動制御するように構成されている。
【００２５】
〔電子キーシステムＡの動作〕
次に、図３及び図４を用い、遠隔制御用携帯機１によってドアロック機構１００Ａ，１００Ｂ，…を施錠・解錠操作する場合について説明する。図３は、本発明の第１の実施の形態に係る遠隔制御用携帯機を用いてドアロック機構を施錠操作する場合について説明するために示すフローチャートである。図４は、本発明の第１の実施の形態に係る遠隔制御用携帯機を用いてドアロック機構を解錠操作する場合について説明するために示すフローチャートである。
【００２６】
（ドアロック機構の施錠操作）
図３に示すように、第１選択手段１０の操作子１０Ａを操作して所定の位置（例えば「ＡＬＬ」の位置）に配置することによりドアロック機構１００Ａ，１００Ｂ，…を特定する（ステップＳ１）とともに、第２選択手段１１の押圧スイッチ１１Ａを押圧操作する（ステップＳ２）と、制御部５がメモリ５Ａに記憶されたデータを確認し、制御対象として特定された全てのドアロック機構１００Ａ，１００Ｂ，…の施錠・解錠の判別を行う（ステップＳ３）。この場合、携帯機側の制御部５が「解錠」と判別する（ステップＳ３のＹＥＳ）と、メモリ５Ａに記憶されたＩＤコードを含む施錠信号を出力するとともに、携帯機側の送信回路４Ａを起動させる（ステップＳ４）。施錠信号は、携帯機側の送信回路４Ａにより所定の周波数の電波に変調され、携帯機側の送信アンテナ４ａを介して車両２に送信される。一方、携帯機側の制御部５が「施錠」と判別する（ステップＳ３のＮＯ）と、施錠信号を出力せず、施錠信号は車両２に送信されない。
【００２７】
車両側の受信回路１２Ｂが遠隔制御用携帯機１から送信された施錠信号を受信する（ステップＳ５）と、その施錠信号をパルス信号に復調して車両側の制御部１３に入力する（ステップＳ５のＹＥＳ）。車両側の制御部１３は、施錠信号に含まれるＩＤコードと車両側のメモリ１３Ａに記憶されたＩＤコードとの比較（ＩＤコード照合）を行うとともに、車両２のドアロック機構１００Ａ，１００Ｂ，…の施錠・解錠状態を確認する（ステップＳ６）。この場合、車両２のドアロック機構１００Ａ，１００Ｂ，…が解錠されていると、遠隔制御用携帯機１と車両２との間でＩＤコード同士が一致したことを条件としてドアロック駆動装置１０１Ａ，１０１Ｂ，…に電気信号が出力され（ステップＳ６のＹＥＳ）、ドアロック機構１００Ａ，１００Ｂ，…が施錠される（ステップＳ７）。ステップＳ６において既に車両２のドアロック機構１００Ａ，１００Ｂ，…が施錠されている場合には、ドアロック駆動装置１０１Ａ，１０１Ｂ，…に電気信号が出力されず（ステップＳ６のＮＯ）、施錠状態がそのまま維持される（ステップＳ８）。なお、ＩＤコード同士が一致しない場合、ドアロック駆動装置１０１Ａ，１０１Ｂ，…に電気信号が出力されず、ドアロック機構１００Ａ，１００Ｂ，…は施錠されない。
【００２８】
ドアロック機構１００Ａ，１００Ｂ，…が施錠された後、車両側の制御部１３が施錠完了信号を車両側の送信回路１２Ａに出力する（ステップＳ９）。施錠完了信号は、車両側の送信回路１２Ａにて所定の周波数の電波に変調され、車両側の送信アンテナ１２ａを介して遠隔制御用携帯機１に送信される。
【００２９】
携帯機側の受信回路４は、車両２から送信された施錠完了信号を受信し（ステップＳ１０）、その施錠完了信号をパルス信号に復調して携帯機側の制御部５に入力する。携帯機側の制御部５は、入力された施錠完了信号に基づいてインジケータ７を作動（点灯）させ（ステップＳ１１）、車両２のドアロック機構１００Ａ，１００Ｂ，…が施錠されていることを示す。
【００３０】
同時に、携帯機側の制御部５は、押圧スイッチ１１Ａの操作時に記憶されていたドアロック機構１００Ａ，１００Ｂ，…の施錠・解錠状態を示すデータを書き換え、携帯機側のメモリ５Ａにドアロック機構１００Ａ，１００Ｂ，…が施錠されたことを新たに記憶する（ステップＳ１２）。
【００３１】
一方、ステップＳ５において車両側の受信回路１２Ｂが施錠信号を受信せず、携帯機側の受信回路４Ｂがアンサーバックとしての施錠完了信号を押圧スイッチ１１Ａの操作時から所定の時間内に受信しない（ステップＳ５のＮＯ）場合、携帯機側の制御部５はインジケータ９を作動（点灯）させる（ステップＳ１３）。この場合、携帯機側の押圧スイッチ１１Ａの操作時におけるロック機構１００Ａ，１００Ｂ，…の施錠・解錠状態がそのまま維持される。
【００３２】
（ドアロック機構の解錠操作）
図４に示すように、第１選択手段１０を操作して所定の位置（例えば「ＡＬＬ」の位置）に配置することによりドアロック機構１００Ａ，１００Ｂ，…を特定する（ステップＳ２１）とともに、第２選択手段１１の押圧スイッチ１１Ｂを押圧操作する（ステップＳ２２）と、制御部５がメモリ５Ａに記憶されたデータを確認し、制御対象として特定された全てのドアロック機構１００Ａ，１００Ｂ，…の施錠・解錠の判別を行う（ステップＳ２３）。この場合、携帯機側の制御部５が「施錠」と判別する（ステップＳ２３のＹＥＳ）と、メモリ５Ａに記憶されたＩＤコードを含む解錠信号を出力するとともに、携帯機側の送信回路４Ａを起動させる（ステップＳ２４）。解錠信号は、携帯機側の送信回路４Ａにより所定の周波数の電波に変調され、携帯機側の送信アンテナ４ａを介して車両２に送信される。一方、携帯機側の制御部５が「解錠」と判別する（ステップＳ２３のＮＯ）と、解錠信号を出力せず、解錠信号は車両２に送信されない。
【００３３】
車両側の受信回路１２Ｂが遠隔制御用携帯機１から送信された解錠信号を受信する（ステップＳ２５）と、その解錠信号をパルス信号に復調して車両側の制御部１３に入力する（ステップＳ２５のＹＥＳ）。車両側の制御部１３は、解錠信号に含まれるＩＤコードと車両側のメモリ１３Ａに記憶されたＩＤコードとの比較（ＩＤコード照合）を行うとともに、車両２のドアロック機構１００Ａ，１００Ｂ，…の施錠・解錠状態を確認する（ステップＳ２６）。この場合、車両２のドアロック機構１００Ａ，１００Ｂ，…が施錠されていると、遠隔制御用携帯機１と車両２との間でＩＤコード同士が一致したことを条件としてドアロック駆動装置１０１Ａ，１０１Ｂ，…に電気信号が出力され（ステップＳ２６のＹＥＳ）、ドアロック機構１００Ａ，１００Ｂ，…が解錠される（ステップＳ２７）。ステップＳ２６において既に車両２のドアロック機構１００Ａ，１００Ｂ，…が解錠されている場合には、ドアロック駆動装置１０１Ａ，１０１Ｂ，…に電気信号が出力されず（ステップＳ２６のＮＯ）、解錠状態がそのまま維持される（ステップＳ２８）。なお、ＩＤコード同士が一致しない場合、ドアロック駆動装置１０１Ａ，１０１Ｂ，…に電気信号が出力されず、ドアロック機構１００Ａ，１００Ｂ，…は解錠されない。
【００３４】
ドアロック機構１００Ａ，１００Ｂ，…が解錠された後、車両側の制御部１３が解錠完了信号を車両側の送信回路１２Ａに出力する（ステップＳ２９）。解錠完了信号は、車両側の送信回路１２Ａにて所定の周波数の電波に変調され、車両側の送信アンテナ１２ａを介して遠隔制御用携帯機１に送信される。
【００３５】
携帯機側の受信回路４は、車両２から送信された解錠完了信号を受信し（ステップＳ３０）、その解錠完了信号をパルス信号に復調して携帯機側の制御部５に入力する。携帯機側の制御部５は、入力された解錠完了信号に基づいてインジケータ８を作動（点灯）させ（ステップＳ３１）、車両２のドアロック機構１００Ａ，１００Ｂ，…が解錠されていることを示す。
【００３６】
同時に、携帯機側の制御部５は、押圧スイッチ１１Ｂの操作時に記憶されていたドアロック機構１００Ａ，１００Ｂ，…の施錠・解錠状態を示すデータを書き換え、携帯機側のメモリ５Ａにドアロック機構１００Ａ，１００Ｂ，…が解錠されたことを新たに記憶する（ステップＳ３２）。
【００３７】
一方、ステップＳ２５において車両側の受信回路１２Ｂが解錠信号を受信せず、携帯機側の受信回路４Ｂがアンサーバックとしての解錠完了信号を押圧スイッチ１１Ｂの操作時から所定の時間内に受信しない（ステップＳ２５のＮＯ）場合、携帯機側の制御部５はインジケータ９を作動（点灯）させる（ステップＳ３３）。この場合、携帯機側の押圧スイッチ１１Ｂの操作時におけるロック機構１００Ａ，１００Ｂ，…の施錠・解錠状態がそのまま維持される。
【００３８】
[第１の実施の形態の効果]
以上説明した第１の実施の形態によれば、次に示す効果が得られる。
【００３９】
第１選択手段１０及び第２選択手段１１によってドアロック機構１００Ａ，１００Ｂ，…のうち選択的に特定された少なくとも１つのドアロック機構を選択的に施錠・解錠するものであるため、複数の制御対象となっても第１選択手段１０及び第２選択手段１１で対応することができる。これにより、携帯機本体の外形寸法が大きくなるのを抑えながら、複数の制御対象から任意の制御対象を選択することができる
【００４０】
[第２の実施の形態]
図５は、本発明の第２の実施の形態に係る遠隔制御用携帯機を示す斜視図である。図５において、図２と同一又は同等の部材については同一の符号を付し、詳細な説明は省略する。
【００４１】
図５に示すように、第２の実施の形態に示す遠隔制御用携帯機５１は、第２選択手段１１（図１に示す）としてスライドスイッチを用いた点に特徴がある。
【００４２】
このため、第２選択手段１１は、第１選択手段１０における操作子１０Ａの摺動方向と平行な方向に摺動する操作子５２を有し、制御部５に接続されている。そして、操作子５２を摺動操作して「ＬＯＣＫ」と「ＵＮＬＯＣＫ」の位置に切り替え、ドアロック機構１００Ａ，１００Ｂ，…を選択的に施錠・解錠するように構成されている。例えば、操作子５２を摺動操作して「ＬＯＣＫ」の位置に停止すると、制御対象として特定されたドアロック機構１００Ａ，１００Ｂ，…が解錠状態から施錠状態に切り替えられる。また、操作子５２を摺動操作して「ＵＮＬＯＣＫ」の位置に停止すると、制御対象として特定されたドアロック機構１００Ａ，１００Ｂ，…が施錠状態から解錠状態に切り替えられる。
【００４３】
[第２の実施の形態の効果]
以上説明した第２の実施の形態によれば、第１の実施の形態の効果と同様の効果が得られる。
【００４４】
[第３の実施の形態]
図６は、本発明の第３の実施の形態に係る遠隔制御用携帯機を示す斜視図である。図６において、図２と同一又は同等の部材については同一の符号を付し、詳細な説明は省略する。
【００４５】
図６に示すように、第３の実施の形態に示す遠隔制御用携帯機６１は、第１選択手段１０（図１に示す）としてロータリスイッチを用いた点に特徴がある。
【００４６】
このため、第１選択手段１０は、筐体６の操作面６Ａと垂直な軸線を中心にして回動する操作子６２を有し、制御部５に接続されている。そして、操作子６２を回動操作して複数のドアロック機構１００Ａ，１００Ｂ，…のうち少なくとも１つのドアロック機構を制御対象として選択的に特定するように構成されている。例えば、操作子６２を回動操作して例えば「ＡＬＬ」の位置に停止すると、全てのドアロック機構１００Ａ，１００Ｂ，…が制御対象として特定される。また、操作子６２を回動操作してそれぞれ「Ｄ」と「ＤＰ」に配置すると、ドアロック機構１００Ａ，１００Ｂ，…の一部（Ｄ：運転席側のドアパネルに対応するドアロック機構，ＤＰ：運転席・乗客席側のドアパネルに対応するドアロック機構）が制御対象として特定される。
【００４７】
[第３の実施の形態の効果]
以上説明した第３の実施の形態によれば、第１の実施の形態の効果と同様の効果が得られる。
【００４８】
なお、本実施の形態では、第２選択手段１１が押圧スイッチ１１Ａ，１１Ｂである場合について説明したが、本発明はこれに限定されず、ロータリスイッチあるいはスライドスイッチであっても実施の形態と同様の効果を得ることができる。
【００４９】
以上、本発明の遠隔制御用携帯機を上記の実施の形態に基づいて説明したが、本発明は上記の実施の形態に限定されるものではなく、その要旨を逸脱しない範囲で種々の態様において実施することが可能であり、例えば次に示すような変形も可能である。
【００５０】
（１）各実施の形態では、第１選択手段１０及び第２選択手段１１のうち少なくとも一方の選択手段がスライドスイッチ又はロータリスイッチである場合について説明したが、本発明はこれに限定されず、第１選択手段及び第２選択手段が共に押圧スイッチであってもよい。この場合、第１選択手段の押圧毎に複数のドアロック機構のうち少なくとも１つのドアロック機構が制御対象として選択的に特定され、また特定された少なくとも１つのドアロック機構が第２選択手段の押圧毎に交互に施錠・解錠される。
【００５１】
（２）各実施の形態では、インジケータ７，８の点灯によってドアロック機構１００Ａ，１００Ｂ，…の施錠・解錠を報知するとともに、インジケータ９の点灯によって施錠・解錠完了信号の受信不能を警告する場合について説明したが、本発明はこれに限定されず、互いに異なる色光や音声によってドアロック機構１００Ａ，１００Ｂ，…の施錠・解錠を報知するとともに、施錠・解錠完了信号の受信不能を警告してもよい。
【００５２】
（３）各実施の形態では、車両用ドアパネルにおけるドアロック機構１００Ａ，１００Ｂ，…の施錠・解錠を行う場合について説明したが、本発明はこれに限定されず、他のドアパネルにおけるドアロック機構の施錠・解錠を行う場合であってもよい。
【図面の簡単な説明】
【００５３】
【図１】本発明の第１の実施の形態に係る遠隔制御用携帯機を説明するために示すブロック図。
【図２】本発明の第１の実施の形態に係る遠隔制御用携帯機を示す斜視図。
【図３】本発明の第１の実施の形態に係る遠隔制御用携帯機を用いてドアロック機構を施錠操作する場合について説明するために示すフローチャート。
【図４】本発明の第１の実施の形態に係る遠隔制御用携帯機を用いてドアロック機構を解錠操作する場合について説明するために示すフローチャート。
【図５】本発明の第２の実施の形態に係る遠隔制御用携帯機を示す斜視図。
【図６】本発明の第３の実施の形態に係る遠隔制御用携帯機を示す斜視図。
【符号の説明】
【００５４】
１，５１，６１…遠隔制御用携帯機、１Ａ…携帯機本体、１Ｂ…操作装置、２…車両、３…施錠・解錠装置、３Ａ…装置本体、４，１２…通信部、４Ａ，１２Ａ…送信回路、４Ｂ，１２Ｂ…受信回路、４ａ，１２ａ…送信アンテナ、４ｂ，１２ｂ…受信アンテナ、６…筐体、６Ａ…操作面、７〜９…インジケータ、１０…第１選択手段、１０Ａ、５２，６２…操作子、１０ａ…第１接点、１０ｂ…第２接点、１０ｃ…第３接点、１１…第２選択手段、１１Ａ，１１Ｂ…押圧スイッチ、１００Ａ，１００Ｂ，…ドアロック機構、１０１Ａ，１０１Ｂ，…ドアロック駆動装置、Ａ…電子キーシステム
【図１】
0004762761.tif 000002
【図２】
0004762761.tif 000003
【図３】
0004762761.tif 000004
【図４】
0004762761.tif 000005
【図５】
0004762761.tif 000006
【図６】
0004762761.tif 000007